(57)【要約】【課題】収納企業側に口座振替のためのシステムを構築する必要がなく、収納企業がリアルタイムで複数件の口座振替をシステム上まとめて行うことができ、収納企業側のコストを省くことができる口座振替システムを提供する。【解決手段】入力装置１０において口座振替依頼に係る複数件のデータが入っているファイルをアップロードすると、インターネット網などを通じて一括口座振替依頼装置２０に送信される。一括口座振替依頼装置２０では、受信したデータの顧客情報や口座情報の確認を行いこのデータを金融機関装置３０に１件ずつ送信する。金融機関装置３０では口座振替の実施を行い、口座振替の実施を行ったデータを一括口座振替依頼装置２０に送信する。当該口座振替の実施を行ったデータが更に入力装置１０に送信された後、入力装置１０に口座振替の結果が通知される。【選択図】図１
2014106670.tif 000002
【特許請求の範囲】
【請求項１】
収納企業の入力装置と、一括での口座振替の依頼を行う一括口座振替依頼装置と、口座振替を行う金融機関装置とがネットワークを介して接続された口座振替システムであって、
前記入力装置は、
一括口座振替依頼データを選択する画面と、口座振替の結果を表示する画面を表示する表示部と、
入力部で選択した前記一括口座振替依頼データを一括口座振替依頼装置に送信する口座振替一括入力機能を有する制御部と、
を備え、
前記一括口座振替依頼装置は、
前記入力装置から受信した前記一括口座振替依頼データと、顧客及び口座の識別情報とを記憶するための記憶部と、
前記入力装置から受信した前記一括口座振替依頼データを蓄積する一括振替依頼データテーブル取得機能と、
前記記憶部に記憶された顧客及び口座の識別情報に基づいて、蓄積された前記一括口座振替依頼データを確認し、前記金融機関装置に送信する顧客確認機能と、
前記金融機関装置から送信された口座振替済みデータを蓄積する履歴登録機能と、を有する制御部と、
を備え、
前記金融機関装置は、
前記一括口座振替依頼装置が送信した前記一括口座振替依頼データと、口座振替依頼データの識別情報とを記憶するための記憶部と、
前記記憶部に記憶された前記口座振替依頼データの識別情報により、前記一括口座振替依頼データの内容を確認する契約確認機能と、
内容を確認した前記一括口座振替依頼データに基づき口座振替を行い、前記口座振替済みデータを前記一括口座振替依頼装置に送信する振替実施機能と、
を有する制御部と、
を備えることを特徴とする口座振替システム。
【請求項２】
前記表示部は、前記一括口座振替依頼データに関連づけられた一括振替受付ＩＤと、前記一括口座振替依頼データの件数をさらに表示する画面を備えることを特徴とする請求項１に記載の口座振替システム。
【請求項３】
前記一括口座振替依頼データは、顧客ID、振替金額を含むことを特徴とする請求項１に記載の口座振替システム。
【発明の詳細な説明】
【技術分野】
【０００１】
本発明は、複数件のデータを一括して口座振替できる口座振替システムに関する。
【背景技術】
【０００２】
銀行での収納企業などによる資金決済を即時に行う、リアルタイムでの口座振替サービスのシステムが存在する。
口座振替は、請求書払いや訪問集金よりも収納企業の手間と時間が少なくて済むため、口座振替を奨励する収納企業が多い。また、口座振替には毎月自動的に、かつ安全確実に顧客から資金回収できるなどというメリットがある。
リアルタイムでの口座振替サービスは口座振替のメリットを残しながら、口座振替では数日掛かっていた振替処理及び振替処理結果の把握を即時に実現することができるサービスである。
従来、リアルタイムでの口座振替サービスのシステム導入のためには、収納企業においてシステム構築や金融機関との接続を行う必要があった。よって、収納企業にシステム構築の初期投資や利用開始までの工期、利用開始後の運用の手間や保守費用といったコストが発生していた。
【０００３】
一方特許文献１においては、収納企業のシステムにおける開発工数を抑えつつ、簡易な手続きにより口座振替の申込を行うことを可能にする口座振替システムが開示されている。
【先行技術文献】
【特許文献】
【０００４】
【特許文献１】特開２００９−１２９０９７号公報
【発明の概要】
【発明が解決しようとする課題】
【０００５】
特許文献１に記載の発明では、口座振替の情報をネットワークを介して受信して登録するための軽微の機能追加のみを収納企業の企業システムに行えばよく、収納企業側の負担は比較的少ない。しかし、当該発明は口座振替の登録に係るものであり口座振替自体を取り扱ったシステムではない。また、顧客の口座から振り替えた代金を収納企業の指定口座に取りまとめて入金するシステムが存在するが、月１回のタイミングで行われているにすぎない。
【０００６】
本発明は、上記の事情に鑑みてなされたものであり、収納企業側に口座振替のためのシステムを構築する必要がなく、収納企業がリアルタイムで複数件の口座振替をシステム上まとめて行うことができ、収納企業側の手間や費用といったコストを省くことができるリアルタイムでの口座振替システムを提供することを目的とする。
【課題を解決するための手段】
【０００７】
上記課題を解決するため、本発明は、収納企業の入力装置と、一括での口座振替の依頼を行う一括口座振替依頼装置と、口座振替を行う金融機関装置とがネットワークを介して接続された口座振替システムであって、前記入力装置は、一括口座振替依頼データを選択する画面と、口座振替の結果を表示する画面を表示する表示部と、入力部で選択した前記一括口座振替依頼データを一括口座振替依頼装置に送信する口座振替一括入力機能を有する制御部と、を備え、前記一括口座振替依頼装置は、前記入力装置から受信した前記一括口座振替依頼データと、顧客及び口座の識別情報とを記憶するための記憶部と、前記入力装置から受信した前記一括口座振替依頼データを蓄積する一括振替依頼データテーブル取得機能と、前記記憶部に記憶された顧客及び口座の識別情報に基づいて、蓄積された前記一括口座振替依頼データを確認し、前記金融機関装置に送信する顧客確認機能と、前記金融機関装置から送信された口座振替済みデータを蓄積する履歴登録機能と、を有する制御部と、を備え、前記金融機関装置は、前記一括口座振替依頼装置が送信した前記一括口座振替依頼データと、口座振替依頼データの識別情報とを記憶するための記憶部と、前記記憶部に記憶された前記口座振替依頼データの識別情報により、前記一括口座振替依頼データの内容を確認する契約確認機能と、内容を確認した前記一括口座振替依頼データに基づき口座振替を行い、前記口座振替済みデータを前記一括口座振替依頼装置に送信する振替実施機能と、を有する制御部と、を備えることを特徴とする口座振替システム。
【０００８】
また、本発明は、前記表示部は、前記一括口座振替依頼データに関連づけられた一括振替受付IDと、前記一括口座振替依頼データの件数をさらに表示する画面を備えることを特徴とする。
【０００９】
前記一括口座振替依頼データは、顧客ID、振替金額を含むことを特徴とする。
【発明の効果】
【００１０】
すなわち、本発明における口座振替システムによれば、ＡＳＰを用いるため収納企業側に口座振替のためのシステムを構築する必要がなく、収納企業が複数件の口座振替についてリアルタイムでシステム上まとめて行うことができる。また、一括口座振替依頼データを直接入力するのではなく、一括口座振替依頼データのファイルを画面上で選択する形式を取る。従って、口座番号などの個人情報が画面上表示されることなく一括口座振替依頼データをシステム上アップロードすることができるため、セキュリティが保護される。さらにシステム上で申込から引落、結果参照まで行うことができるため、収納企業側の手間や費用といったコストを省くことができる。
【００１１】
本発明において、前記表示部は、前記一括口座振替依頼データに関連づけられた一括振替受付ＩＤと、前記一括口座振替依頼データの件数をさらに表示する画面を備えるため、一括振替受付ＩＤを画面に入力することでファイル転送に対応した一括口座振替依頼データを参照することができる。また一括口座振替依頼データの件数を確認できるため、ファイル転送の際の間違いを少なくすることができる。
【００１２】
本発明において、前記一括口座振替依頼データは、顧客ＩＤ、振替金額を含むため、顧客マスタなどのマスタと例えば顧客ＩＤなどをキーにしてマッチング処理を行うことができる。よって、一括口座振替依頼データの顧客情報や口座情報などの確認を行うことができる。
【図面の簡単な説明】
【００１３】
【図１】本発明の口座振替システムの構成を示す図である。
【図２】本発明の口座振替システムの構成を示すブロック図である。
【図３】本発明の入力装置の制御部の機能を示す図である。
【図４】本発明の一括口座振替依頼装置の制御部の機能を示す図である。
【図５】本発明の金融機関装置の制御部の機能を示す図である。
【図６】本発明の入力装置の口座振替一括入力機能を説明するための画面図である。
【図７】本発明の入力装置の口座振替一括入力機能を説明するための画面図である。
【図８】本発明の入力装置の口座振替一括入力機能を説明するための画面図である。
【図９】本発明の一括口座振替依頼装置の履歴登録機能を説明するための画面図である。
【図１０】本発明の一括口座振替依頼装置の履歴登録機能を説明するための画面図である。
【図１１】本発明の一括口座振替依頼装置を説明するためのフローチャートである。
【発明を実施するための形態】
【００１４】
以下、図面を参照して本発明の実施の例について説明する。
【実施例１】
【００１５】
図１は、本発明の実施の形態による口座振替システムの概要を示す図である。
入力装置１０においては、エンドユーザの依頼に基づいて例えば収納企業のパソコンのＷＥＢ画面上から、口座振替依頼に係るデータを一括で複数件入力したファイルをアップロードすると、当該データはＳＳＬを利用したインターネット網などを通じてＡＳＰである一括口座振替依頼装置２０に送信される。一括口座振替依頼装置２０では、口座振替依頼に係るデータを入力装置１０から受信した後、顧客情報や口座情報の確認を行い金融機関装置３０に送信する。金融機関装置３０では口座振替の実施を行い、口座振替の実施を行ったデータを一括口座振替依頼装置２０に送信する。当該口座振替の実施を行ったデータが一括口座振替依頼装置２０に送信された後、入力装置１０に送信される。そして入力装置１０のパソコンのディスプレイに口座振替の結果が通知される。
【００１６】
図２は、本発明の実施の形態による口座振替システムの構成を示すブロック図である。
入力装置１０は、通信部１１、制御部１２、表示部１３、入力部１４から成る。通信部１１は、インターネットやＶＰＮからなるネットワークを介して情報を送受信する。制御部１２は情報の送信や、受信した情報を表示部１３へ表示させるなどの制御を行う。表示部１３は、例えばパソコンのディスプレイなどの画面を指す。入力部１４は、例えばパソコンのキーボードなどの入力手段を指す。当該入力装置１０により、例えば収納企業が複数件の口座振替データが入っている、口座振替依頼を行いたいファイルをパソコンからディスプレイの表示に基づき入力することができ、入力したデータをインターネットを通じて一括口座振替依頼装置２０に送信することができる。
【００１７】
一括口座振替依頼装置２０は、通信部２１、制御部２２、画面制御部２３、記憶部２４、顧客マスタ２５、口座マスタ２６、振替履歴データベース２７、一括振替依頼テーブル２８から成る。通信部２１は、インターネットなどからなるネットワークを介して情報を送受信する。制御部２２は記憶部２４への情報の出力や受け取り、他装置などへの情報の入出力を制御する。画面制御部２３は、入力装置１０へ画面データを送信する。記憶部２４は、受信した一括口座振替依頼データに係る情報やマスタなどの情報を記憶する。顧客マスタ２５は顧客ＩＤや顧客名、最終更新日時などの顧客情報が記載されている。口座マスタ２６には、支店番号、科目、口座番号などの振替口座情報が記載されている。振替履歴データベース２７には、顧客ＩＤや振替金額、振替結果などの口座振替に関する情報が記載されている。一括振替依頼テーブル２８には、一括振替を依頼及び実施した履歴のレコードが蓄積されている。一括振替の依頼がされた各レコードには「受付ＩＤ」である一括振替受付ＩＤが付与され、一括振替を行った振替履歴を把握することができる。当該一括口座振替依頼装置２０により、一括で入力された複数件の口座振替依頼データの顧客情報や口座情報が確認され、確認された口座振替依頼データは１件ずつ金融機関装置３０に送信される。また、金融機関装置３０に送信した口座振替済みデータなどについて振替履歴データベース２７に蓄積される。なお、当該振替履歴データベース２７にアクセスすることで口座振替の結果などが表示部１３から閲覧できる（後述）。
【００１８】
金融機関装置３０は、通信部３１、制御部３２、記憶部３３、口振マスタ３４から成る。通信部３１は、インターネットなどからなるネットワークを介して情報を送受信する。制御部３２は、記憶部３３に対する情報の出力や受け取り、他装置などへの情報の入出力を制御する。記憶部３３は、受信した一括口座振替依頼データに係る情報や口振マスタ３４などの情報を記憶する。口振マスタ３４は、口座番号などの銀行の口座振替依頼契約に関する情報が記載されている。当該金融機関装置３０により、一括口座振替依頼データに基づき口座からの引落し処理がなされる。
【００１９】
図３は、入力装置１０の制御部１２の機能について記載したものである。ここでは、図６乃至図８の画面図を参照しつつ説明する。
【００２０】
入力装置１０の制御部１２では、口座振替一括入力機能１２aを実現する。この機能においては、まず、複数件の口座振替依頼データである一括口座振替依頼データが入っているファイルを、図６の「アップロードファイル選択画面」の参照ボタンをクリックして表示されるダイヤログボックスから選択し、選択後確認ボタンをクリックする。すると、一括口座振替依頼装置２０でファイル中のデータ件数である振替依頼件数が付与され、この振替依頼件数に係る画面データの入力装置１０への送信を制御部２２の制御に基づき画面制御部２３が行った後、表示部１３で図７の「アップロードファイル確認画面」として表示される。この振替依頼件数の確認後、「アップロードファイル確認画面」の登録ボタンをクリックすると、上記ファイルを一括口座振替依頼装置２０にアップロードすることができる。一括口座振替依頼装置２０でファイルの転送に対応する一括振替受付ＩＤが付与され、一括振替受付ＩＤに係る画面データの入力装置１０への送信を制御部２２の制御に基づき画面制御部２３が行った後、表示部１３で図８の「アップロード完了画面」として表示される。
【００２１】
図４は、一括口座振替依頼装置２０の制御部２２の機能について記載したものである。ここでは、図９及び図１０の画面図及び図１１のフローチャートを参照しつつ説明する。
【００２２】
一括口座振替依頼装置２０の制御部２２では、一括振替依頼データテーブル取得機能２２a、顧客確認機能２２ｂ、及び履歴登録機能２２ｃを実現する。一括振替依頼データテーブル取得機能２２aでは、入力装置１０の入力部１４から入力され、一括口座振替依頼装置２０で受信した一括口座振替依頼データを一括振替依頼テーブル２８に蓄積している。つまり、図１１によれば入力された一括口座振替依頼データのファイルである一括アップロードファイルから制御部２２がファイルの読み込みを行う（ステップＳ1）。続いて一括アップロードファイル中の一括口座振替依頼データのレコードの有無の判定を制御部２２が行い、一括口座振替依頼データのレコードがある場合はこのレコードが一括振替依頼テーブル２８に蓄積される（ステップＳ２）。なお、一括アップロードファイルに一括口座振替依頼データのレコードがない場合は、処理が終了する。
【００２３】
顧客確認機能２２ｂでは、図１１によるとまず、一括口座振替依頼データにつき「数値が入力されているかなどの形式的なチェック」が制御部２２よりされる（ステップＳ３）。続いて、入力したデータにエラーがあるかどうかを制御部２２は判断する。ここで、エラーがある場合はステップＳ８の振替履歴テーブル更新処理に移り、振替履歴テーブル２７がこのエラーデータにより更新及び蓄積される（ステップＳ４）。エラーが無かった場合、制御部２２は受信した一括口座振替依頼データに基づいて顧客マスタ２５と口座マスタ２６を検索する（ステップＳ５）。次に一括口座振替依頼データと顧客マスタ２５、口座マスタ２６の内容とに不整合があるかどうかを制御部２２は検討する。なお、不整合がある場合はステップＳ８の振替履歴テーブル更新の処理に移り、振替履歴テーブル２７がこの不整合の一括口座振替依頼データにより更新及び蓄積される（ステップＳ６）。一括口座振替依頼データと各マスタの内容に不整合がない場合は一括口座振替依頼データを金融機関装置３０に送信する制御を制御部２２は行う（ステップＳ７）。そして、金融機関装置３０に送信された一括口座振替依頼データに基づき振替履歴テーブル２７が更新される（ステップＳ８）。なお、振替履歴テーブル２７の役割については後述する。そして一括口座振替依頼データを金融機関装置３０に送信したか否かを制御部２２が判断する（ステップＳ９）。ここで、上述した場合のようにデータの内容に不整合などがあり金融機関装置３０に送信できなかった場合はステップＳ１のファイルの読み込みの処理に戻る。
【００２４】
履歴登録機能２２ｃでは、図１１のステップＳ９で一括口座振替依頼データを金融機関装置３０に送信したと制御部２２により判断された後、金融機関装置３０から口座振替済みデータを受信する（ステップＳ１０）。そして、この口座振替済みデータは振替履歴テーブル２７と一括振替依頼テーブル２８に蓄積される。このステップＳ１からステップＳ１０までの処理は制御部２２により一括口座振替依頼データ１件ずつに対して行われ、一括口座振替依頼データがなくなるまで繰り返されて続く。なお、図９の「口座振替履歴  検索条件入力画面」において顧客ＩＤや閲覧期間などを入力することにより、振替履歴テーブル２７にアクセスでき、振替履歴テーブル２７に係る画面データの入力装置１０への送信を制御部２２の制御に基づき画面制御部２３が行った後、図１０の「口座振替履歴  一覧画面」が表示部１３に表示される。よって、一括口座振替依頼データの顧客名称や、口座振替が正常に行われたかなどを表す振替結果などの属性がわかる。
【００２５】
図５は、金融機関装置３０の制御部３２の機能について記載したものである。金融機関装置３０の制御部３２では、契約確認機能３２ａと振替実施機能３２ｂを実現する。契約確認機能３２ａでは、口座振替マスタ３４の内容を参照して、一括口座振替依頼装置２０から受信した一括口座振替依頼データについて銀行での口座振替依頼契約の有無に関する確認がなされ、口座振替依頼契約があった場合には振替実施機能３２ｂにデータを送る。振替実施機能３２ｂでは、契約確認機能３２ａから送られた一括口座振替依頼データに基づき、１件ずつ口座振替の引落し処理が行われる。そして、口座引落し処理後の口座振替済みデータを一括口座振替依頼装置２０に送信する。
【符号の説明】
【００２６】
１０    入力装置
１１、２１、３１  通信部
１２、２２、３２  制御部
１２ａ  口座振替一括入力機能
１３    表示部
１４    入力部
２０    一括口座振替依頼装置
２２ａ  一括振替依頼データテーブル取得機能
２２ｂ  顧客確認機能
２２ｃ  履歴登録機能
２３    画面制御部
２４、３３  記憶部
２５    顧客マスタ
２６    口座マスタ
２７    振替履歴テーブル
２８    一括振替依頼テーブル
３２ａ  契約確認機能
３２ｂ  振替実施機能
３４    口振マスタ
【図１】
2014106670.tif 000003
【図２】
2014106670.tif 000004
【図３】
2014106670.tif 000005
【図４】
2014106670.tif 000006
【図５】
2014106670.tif 000007
【図６】
2014106670.tif 000008
【図７】
2014106670.tif 000009
【図８】
2014106670.tif 000010
【図９】
2014106670.tif 000011
【図１０】
2014106670.tif 000012
【図１１】
2014106670.tif 000013